(57)【特許請求の範囲】
【請求項１】
カラー画像情報の色味を検出する検出手段と、
前記検出手段によって検出された色味に応じて、前記カラー画像情報から分離する、黒色以外の一色成分を決定する第一の決定手段と、
前記一色成分および黒色成分をどの色で出力するかを決定する第二の決定手段と、
前記カラー画像情報を前記一色成分と前記黒色成分の画像情報に分離する分離手段と、
前記一色成分と前記黒色成分の画像情報を前記第二の決定手段によって決定された出力色の画像情報として出力する出力手段とを有することを特徴とする画像処理装置。
【請求項２】
原稿画像の所望するエリアを座標で入力指示する指示手段と、
前記エリアの画像情報の色味に応じて分離する、黒色以外の一色成分を決定する決定手段と、
前記画像情報を前記一色成分と黒色成分の画像情報に分離する分離手段とを有することを特徴とする画像処理装置。
【請求項３】
カラー画像情報の色味を検出し、
検出された色味に応じて、前記カラー画像情報から分離する、黒色以外の一色成分を決定し、
前記一色成分および黒色成分をどの色で出力するかを決定し、
前記カラー画像情報を前記一色成分と前記黒色成分の画像情報に分離し、
前記一色成分と前記黒色成分の画像情報を決定された出力色の画像情報として出力することを特徴とする画像処理方法。
【請求項４】
原稿画像の所望するエリアの座標入力指示を受け、
前記エリアの画像情報の色味に応じて分離する、黒色以外の一色成分を決定し、
前記画像情報を前記一の色成分と黒色成分の画像情報に分離することを特徴とする画像処理方法。
【発明の詳細な説明】
【０００１】
【産業上の利用分野】
本発明は画像処理方法およびその装置に関し、例えば、読取ったカラー画像信号から赤成分と黒成分を分離して、赤成分を赤で、黒成分を黒で画像形成するディジタル複写機などの画像処理方法およびその装置に関する。
【０００２】
【従来の技術】
従来、ディジタル複写機などにおいて、原稿画像をカラーＣＣＤなどの光電変換素子により読取り、原稿画像の色情報から特定の領域を識別して、識別した領域を通常の領域とは異なる色（例えば黒に対して赤）で形成することが提案されている。
【０００３】
さらに、読取ったカラー画像信号から赤成分と黒成分を分離して、赤成分を赤で、黒成分を黒で画像形成するといったように、原稿のカラー画像を異なる二色で形成することも提案されている。
【０００４】
【発明が解決しようとする課題】
しかし、上記従来例においては、次のような問題点があった。
すなわち、領域を判別して異なる色で画像形成する装置においては、モノクロ画像の一部に赤色の文字があるような原稿に対して、赤色の文字を赤で再生するといった効果は期待できるが、領域毎に異なる色で画像形成するのみであるため、原稿がフルカラー画像の場合には適さない。
【０００５】
また、フルカラー画像を所定の二色成分に分離して、異なる二色で画像形成する装置においては、次のような不都合が生じていた。
（１）分離する色成分が所定の二色に限定されていたため、分離色の指定・変更などができない。
（２）画像全体に対して、分離する分離色や色分離された画像データの出力色が、所定の二色に限定されていたため、分離色や出力色の指定・変更などが自由にできない。
【０００６】
（３）分離色および色分離された画像データの出力色を指定・変更して、二色での表現力の向上しようとした場合、指定項目の増加に伴って、その操作が複雑になったり煩雑になったりして、操作ミスによる無駄なコピーが行われることがあった。
（４）赤での形成を原稿画像の赤成分のみとしていたため、ほとんどの画像が黒で形成されて表現力に乏しく、二色で画像形成することの利点が充分に生かしきれていなかった。
【０００７】
【課題を解決するための手段】
本発明は、前記課題を解決することを目的とし、前記課題を解決する一手段として、以下の構成を備える。本発明にかかる画像処理装置は、カラー画像情報の色味を検出する検出手段と、前記検出手段によって検出された色味に応じて、前記カラー画像情報から分離する、黒色以外の一色成分を決定する第一の決定手段と、前記一色成分および黒色成分をどの色で出力するかを決定する第二の決定手段と、前記カラー画像情報を前記一色成分と前記黒色成分の画像情報に分離する分離手段と、前記一色成分と前記黒色成分の画像情報を前記第二の決定手段によって決定された出力色の画像情報として出力する出力手段とを有することを特徴とする。また、原稿画像の所望するエリアを座標で入力指示する指示手段と、前記エリアの画像情報の色味に応じて分離する、黒色以外の一色成分を決定する決定手段と、前記画像情報を前記一色成分と黒色成分の画像情報に分離する分離手段とを有することを特徴とする。
【０００８】
本発明にかかる画像処理方法は、カラー画像情報の色味を検出し、検出された色味に応じて、前記カラー画像情報から分離する、黒色以外の一色成分を決定し、前記一色成分および黒色成分をどの色で出力するかを決定し、前記カラー画像情報を前記一色成分と前記黒色成分の画像情報に分離し、前記一色成分と前記黒色成分の画像情報を決定された出力色の画像情報として出力することを特徴とする。また、原稿画像の所望するエリアの座標入力指示を受け、前記エリアの画像情報の色味に応じて分離する、黒色以外の一色成分を決定し、前記画像情報を前記一の色成分と黒色成分の画像情報に分離することを特徴とする。
【０００９】
【実施例】
以下、本発明にかかる一実施例の画像処理装置を図面を参照して詳細に説明する。
【００１０】
【第１実施例】
図１は第１実施例の画像処理装置を備えたディジタル複写機の構成例を示す概観図である。
同図において、１００は複写装置本体（以下「本体」という）、１８０は原稿の自動給紙を行う循環式自動原稿送り装置（以下「ＲＤＦ」という）、１９０は仕分装置すなわちソータであり、ＲＤＦ１８０とソータ１９０とは、本体１００に対して自在に組合わせて使用できるようになっている。
【００１１】
以下、本実施例の構成および動作について詳細に説明する。
本体１００において、１０１は原稿を載置する原稿台ガラスであり、１０２はスキャナで、原稿照明ランプ１０３，走査ミラー１０４などで構成される。不図示のモータにより、スキャナ１０２が所定方向に往復走査されて、原稿からの反射光１０７を、走査ミラー１０４〜１０６を介してレンズ１０８に導き、ＣＣＤセンサ１０９上に結像する。
【００１２】
１２０はレーザ素子やポリゴンスキャナなどを備えた露光制御部で、ＣＣＤセンサ１０９で電気信号に変換され、後述する所定の画像処理を施された画像信号に基づいて変調したレーザ光１２８と１２９を感光体ドラム１１０と１１１に照射する。
感光体ドラム１１０の周囲には、一次帯電器１１２，黒現像器１２１，転写帯電器１１８，クリーナ１１６，前露光ランプ１１４などが配置され、黒画像形成部１２６を形成している。
【００１３】
また、感光体ドラム１１１の周囲には、一次帯電器１１３，赤現像器１２２，青現像器１２３，緑現像器１２４，転写帯電器１１９，クリーナ１１７，前露光ランプ１１５などが配置され、色画像形成部１２７を形成している。なお、不図示の現像器切換装置によって、三つの現像器の何れか一つが感光体ドラム１１１に近接され、残りの現像器は待避される。
【００１４】
黒画像形成部１２６において、感光体ドラム１１０は、不図示のモータにより図に示す矢印方向に回転され、一次帯電器１１２により所定電位に帯電された後、露光制御部１２０からのレーザ光１２８が照射されて、その表面に静電潜像が形成される。形成された静電潜像は、黒現像器１２１により現像されてトナー像として可視化される。
【００１５】
一方、上段カセット１３１または下段カセット１３２から、ピックアップローラ１３３または１３４によってピックアップされた記録紙は、給紙ローラ１３５または１３６によって画像形成部へ送られ、レジスタローラ１３７により転写ベルト１３０に供給されて、転写帯電器１１８により感光体ドラム１１０上のトナー像が転写される。転写後、感光体ドラム１１０は、クリーナ１１６により残留トナーが除去され、前露光ランプ１１４により残留電荷が消去される。
【００１６】
色画像形成部１２７においても同様の動作により、所望の現像器によって可視化されたトナー像が記録紙に転写される。
転写後、記録紙は転写ベルト１３０から分離され、定着前帯電器１３９，１４０によりトナー像が再帯電され、定着器１４１により加圧，加熱されてトナー像が定着された後、排出ローラ１４２により本体１００外へ排出される。なお、定着前帯電器１３９，１４０は、分離後の記録紙のトナーの吸着力を補って画像乱れを防止するためのものである。
【００１７】
また、１２８は吸着帯電器で、レジストローラ１３７から送られてきた記録紙を転写ベルト１３０に吸着させる。１３９は転写ベルトローラで、転写ベルト１３０を回転駆動するとともに、吸着帯電器１３８と対になって記録紙を吸着帯電させる。１４８は紙先端センサで、転写ベルト１３０によって搬送される記録紙の先端を検知して、紙送り方向（副走査方向）の同期信号を出力する。
【００１８】
１４３は除電帯電器で、転写ベルト１３０から記録紙を分離し易くし、１４４は剥離帯電器で、記録紙が転写ベルト１３０から分離する際の剥離放電による画像乱れを防止する。１４５と１４６は転写ベルト除電帯電器で、転写ベルト１３０を除電して静電気的に初期化し、１４７はベルトクリーナで、転写ベルト１３０の汚れを除去する。
【００１９】
本体１００には、例えば４，０００枚の記録紙を収容できるデッキ１５０が装備されている。デッキ１５０のリフタ１５１は、記録紙が常に給紙ローラ１５２に当接するように記録紙の積載量に応じて上昇する。また、１００枚の記録紙を収容できるマルチ手差し１５３も備えられている。
また、１５４は排紙フラッパで、記録紙の搬送経路を両面記録側，多重記録側または排出側へ切換え、１５７は多重フラッパで、両面記録と多重記録で経路を切換える。１６１は排出ローラで、排紙フラッパ１５４の近傍に配置され、排紙フラッパ１５４により排出側へ導かれた記録紙を本体１００外へ排出する。
【００２０】
両面記録または多重記録を行う場合、排紙フラッパ１５４を上方に上げて、排出ローラ１４２から送出された記録紙を下搬送パス１５８側へ導く。さらに、両面記録を行う場合は、記録紙を、多重フラッパ１５７を右方向に倒すことによって反転パス１５５へ導いた後、多重フラッパ１５７を左方向に倒して、反転ローラ１６３によって下搬送パス１５８へ送出する。また、多重記録を行う場合は、多重フラッパ１５７を左方向に倒すことによって、直接、記録紙を下搬送パス１５８へ導く。下搬送パス１５８を搬送された記録紙は、給紙ローラ１５９により経路１６０を介してレジストローラ１３７へ供給され、再び画像形成部へ送られる。
【００２１】
また、記録紙の表裏を反転して排出する場合は、排紙フラッパ１５４を上方へ上げ多重フラッパ１５７を右方向へ倒して、一旦、記録紙を反転パス１５５へ導き、記録紙後端が送りローラ１６２を通過した後、反転ローラ１６３と排出ローラ１６１によって、記録紙を本体１００外へ排出する。
図２は本実施例の電気的構成例を示すブロック図である。
【００２２】
同図において、２０１は画像読取部で、ＣＣＤセンサ１０９およびアナログ信号処理部２０２などにより構成される。レンズ１０８を介してＣＣＤセンサ１０９に結像された原稿２００の画像は、ＣＣＤセンサ１０９によりＲＧＢアナログ画像信号に変換されて、アナログ信号処理部２０２へ入力される。アナログ信号処理部２０２は、ＲＧＢの各色毎に、サンプルアンドホールド，ダークレベル補正などを施した後、Ａ／Ｄ変換したＲＧＢディジタル画像信号を出力する。
【００２３】
３００は画像処理部で、画像読取部２０１から入力された画像信号に、シェーディング補正，色補正，γ補正など読取系で必要な補正処理や、スムージング処理，エッジ強調その他の処理および加工をなどを施す。プリンタ部２０４に出力される。
２０４はプリンタ部で、前述した露光制御部１２０，黒画像形成部１２６，色画像形成部１２７や、記録紙の搬送制御部などから構成され、画像処理部３００から入力された画像信号に基づいて、記録紙上に画像形成する。
【００２４】
２１０は操作部で、コピー枚数やコピーモードなど指定する入力キーと表示器などを備えている。２１１は座標入力部で、原稿画像の所望するエリアを座標で入力するためのものである。
また、２０５は制御部で、ＣＰＵ２０６，ＲＯＭ２０７，ＲＡＭ２０８などにより構成される。制御部２０５はＲＯＭ２０８などに格納されたプログラムに従って、画像読取部２０１，画像処理部３００，プリンタ部２０４，操作部２１０，座標入力部２１１などを制御して、本実施例の複写シーケンスなどを統括的に制御するほか、後述する画像の色味判定や、分離色，出力色の決定などを行う。
【００２５】
図３は画像処理部３００の詳細な構成例を示すブロック図である。
３０１はシェーディング補正回路で、画像読取部２０１から入力された例えば８ビットのディジタル画像信号に、原稿を読取るセンサの感度ばらつきや原稿照明用ランプの配光特性の補正を施す。
３０２は輝度−濃度変換回路で、シェーディング補正回路３０１から入力された画像信号を、ＲＧＢ輝度信号からＣＭＹ濃度信号へ変換する。
【００２６】
３０３は二色分離回路部で、輝度−濃度変換回路３０２から入力されたＣＭＹ画像信号から、その詳細を後述する分離色信号Ｄｏｕｔ３およびエリア信号Ｄｏｕｔ５によって、「黒と赤」，「黒と緑」，「黒と青」の何れかの分離画像データを生成する。
図４は二色分離回路３０３の詳細な構成例を示すブロック図である。
ＣＭＹ画像信号は最小値検出器４０１に入力される。最小値検出器４０１は、三つの画像信号の内で最小値、つまり最も濃度の低い信号を検出する。
【００２７】
減算器４０２，４０３，４０４は、入力されたＹ信号，Ｍ信号，Ｃ信号からそれぞれ最小値検出器４０１の検出結果Ｍｉｎ（Ｙ，Ｍ，Ｃ）を減算する。
赤イメージを生成する場合は、減算器４０２，４０３，４０４の減算結果と、予め計算された係数（係数１１，係数１２，係数１３）とを、それぞれ乗算器４０５，４０６，４０７で乗算し、加算器４１０で求めた三つの乗算結果の総和を、赤イメージデータとして出力する。なお、係数を変更することによって、任意の色のイメージデータを求めることができる。
【００２８】
次に、黒イメージを生成する場合は、乗算器４０８で減算器４０４の減算結果Ｃ−Ｍｉｎ（Ｃ，Ｍ，Ｙ）と係数２１の積を求め、乗算器４０９で最小値Ｍｉｎ（Ｃ，Ｍ，Ｙ）と係数２２の積を求めて、加算器４１１で求めた両乗算結果の和を、黒イメージデータとして出力する。
すなわち、分離画像データの生成は次に示す演算によって行われている。なお、下式に含まれる各係数は予め計算されている。
【００２９】
0003548205.tif 000002
ここで、minは( )内の引数の最小値を返す関数である。
【００３０】
次に、赤イメージを生成するための係数の決定法について説明する。
図５はＹＭＣ色空間を表す図で、各濃度軸は互いに１２０度間隔で配置されている。各軸が互いに接する原点では値０であり、原点から放射状に離れるに従って濃度値を増加する。
前述の処理によって無彩色成分が除去されたＣＭＹ画像信号は、これら三軸のうちの二軸を用いて、この色空間上の一点として表現される。例えば、（Ｃ，Ｍ，Ｙ）＝（ｃ０，ｍ０，ｙ０）なる画像信号が、前述の処理によって（０，ｍ，ｙ）になったとすると、色空間上の点Ｐで表される。
【００３１】
ここで、この色空間のＭとＹの合成方向に所望する赤成分の軸Ｘをとり、この軸Ｘに点Ｐを投影すると赤成分データＲとして、
Ｒ＝ｍ／２＋ｙ／２
が得られ、この場合、係数１１と係数１２はともに１／２、係数１３は０である。なお、ｍ＝０，ｃ＞ｙまたはｙ＝０，ｃ＞ｍのときＲ＜０になるが、この場合は負の濃度データが生じないようにＲ＝０にする。あるいは、適当な正規化処理、つまり線形または非線形に０≦Ｒ’≦最大値なるＲ’に変換する処理を行うことで、負の濃度データを避けてもよい。
【００３２】
このようにして、入力画像信号の例えば各画素についてＲデータを求めて、赤イメージデータを生成する。
次に、軸Ｘから任意の角度θ（−６０°≦θ≦＋６０°）だけ回転させた軸Ｘ’を用いて、赤イメージデータを生成する例について説明する。
図６に示す色空間において、所望の赤成分軸を軸Ｘ’の方向にとると、点Ｐ（０，ｍ，ｙ）を軸Ｘ’に投影すると赤成分データＲとして、
Ｒ＝ｃｏｓ（６０°＋θ）ｍ＋ｃｏｓ（６０°−θ）ｙ
が得られ、この場合、係数１１はｃｏｓ（６０°−θ）、係数１２はｃｏｓ（６０°＋θ）、係数１３は０である。もし得られた値Ｒが負の場合は、前述したように、Ｒ＝０にするか適当な正規化によって非負にする。
【００３３】
次に、緑イメージデータを生成する例について説明する。
図７に示す色空間において、ＹとＣの合成方向に所望する緑成分の軸Ｘをとり、この軸Ｘに点Ｐ（ｃ，０，ｙ）を投影すると緑成分データＧとして、
Ｇ＝ｃ／２＋ｙ／２
が得られ、この場合、係数３１と係数３３はともに１／２、係数３２は０である。を得る。なお、これは前述のθを＋１２０°に固定したものに等しい。また、もし得られた値Ｇが負の場合は、前述したように、Ｇ＝０にするか適当な正規化によって非負にする。
【００３４】
再び、図３において、制御部２０５から出力された分離色信号Ｄｏｕｔ３とエリア信号Ｄｏｕｔ５は、画像信号の印刷処理に先だって、二色分離回路３０３内部のテーブルに記憶される。このテーブルは画像形成時に参照され、画像信号の同期信号に応じて各係数を切替えるために用いられる。
二色分離回路３０３から出力された黒イメージ信号Ｄｏｕｔ１は、プリンタ濃度補正回路３０４でプリンタ部２０４に対応した濃度補正が施され、プリンタ部２０４へ送られる。一方、色イメージ信号Ｄｏｕｔ２は、プリンタ濃度補正回路３０５でプリンタ部２０４に対応した濃度補正が施され、バッファ３０６において所定時間の遅延が与えられた後、プリンタ部２０４へ送られる。
【００３５】
３１０は像域分割回路で、入力されたＣＭＹ画像信号に含まれる写真領域を、公知の分割手段によって分割して、写真領域のエリア信号を出力する。なお、エリア信号は制御部２０５へ送られる。
３０８は色判断回路で、入力されたＣＭＹ画像信号を内部のページメモリに記憶し、エリア信号Ｄｏｕｔ４で指定される画像領域に関して、前述の二色分離回路３０３と同様の演算によって赤，緑，青の各イメージデータを求める。この各イメージデータは制御部２０５へ送られ、その頻度比較結果に応じて、赤，緑，青の何れかの色分離信号が生成される。
【００３６】
制御部２０５は、像域分割回路３１０および色判断回路３０８から送られてきたエリア信号および分離色信号を必要に応じて用いて、分離色信号Ｄｏｕｔ３およびエリア信号Ｄｏｕｔ５を生成して、二色分離回路３０３へ送る。
図８は本実施例の画像形成手順の一例を示すフローチャートで、制御部２０５によって実行されるものである。
【００３７】
ステップＳ４１で操作部２１０から複写開始などの指示を受けると、ステップＳ４２でプリスキャン（予備走査）を行い、原稿２００の画像情報を、画像読取部２０１を介して、色判断回路３０８内部に記憶する。
続いて、ステップＳ４３で、エリア信号Ｄｏｕｔ４により原稿画像全体を指定することによって、色判断回路３０８から各色のイメージデータを得て、原稿画像の色味判定を行い、ステップＳ４４で、予めＲＯＭ２０７またはＲＡＭ２０８に記憶された分離色決定情報に基づいて、その判定結果に応じて分離色を決定する。
【００３８】
続いて、ステップＳ４５で、決定した分離色を示す分離色信号Ｄｏｕｔ３と、原稿画像全体を指定するエリア信号Ｄｏｕｔ５とを二色分離回路３０３へ送る。該信号は二色分離回路３０３内のテーブルにセットされる。
続いて、ステップＳ４６で、予めＲＯＭ２０７またはＲＡＭ２０８に記憶された出力色決定情報に基づいて、決定した分離色で分離した画像を出力するための出力色を決定する。決定される出力色は、例えば、分離色が赤系統の色なら赤というように、同系統色で最も彩度の高い色にするのが望ましいが、出力色決定情報によって任意に設定できることはいうまでもない。なお、決定した出力色に従って色画像形成部１２７の現像器が選択される。
【００３９】
続いて、ステップＳ４７で、決定した分離色と出力色とによって、一連の複写シーケンスを実行して画像形成を行った後、ステップＳ４１へ戻って待機状態になる。
以上説明したように、本実施例によれば、検出された原稿画像の色味に基づいて分離色を決定するので、入力された画像に応じた分離色を決定することができ、さらに、決定した分離色に応じた出力色も決定することができる。
【００４０】
【第２実施例】
以下、本発明にかかる第２実施例の画像処理装置を説明する。なお、第２実施例において、第１実施例と略同様の構成については、同一符号を付して、その詳細説明を省略する。
図９は第２実施例の画像形成手順の一例を示すフローチャートで、制御部２０５によって実行されるものである。なお、図８に示した第１実施例と同一のステップについては、同一符号を付して、その詳細説明を省略する。
【００４１】
ステップＳ４３−１で、ユーザは、座標入力部２１１を用いて、原稿画像の色味判定を行うサンプル位置を入力する。この位置情報は制御部２０５へ入力される。
続いて、ステップＳ４３−２で、指定されたサンプル位置に相当する充分に小さい領域をエリア信号Ｄｏｕｔ４により指定することによって、色判断回路３０８から各色のイメージデータを得て、原稿画像の色味判定を行い、ステップＳ４４でその判定結果に応じて分離色を決定する。
【００４２】
以下、第１実施例と同様の手順なので説明を省略する。
以上説明したように、本実施例によれば、ユーザは分離色を決定するためのサンプル位置を指定することによって、入力された画像の分離色をユーザの希望に応じて決定することができ、さらに、決定した分離色に応じた出力色も決定することができる。
【００４３】
【第３実施例】
以下、本発明にかかる第３実施例の画像処理装置を説明する。なお、第３実施例において、第１実施例と略同様の構成については、同一符号を付して、その詳細説明を省略する。
図１０は第３実施例の画像形成手順の一例を示すフローチャートで、制御部２０５によって実行されるものである。なお、図８に示した第１実施例と同一のステップについては、同一符号を付して、その詳細説明を省略する。
【００４４】
ステップＳ４４−１で、ユーザは、操作部２１０によって、希望する分離色を入力する。
続いて、ステップＳ４５で、指定された分離色を示す分離色信号Ｄｏｕｔ３と、原稿画像全体を指定するエリア信号Ｄｏｕｔ５とを二色分離回路３０３へ送る。該信号は二色分離回路３０３内のテーブルにセットされる。
【００４５】
続いて、ステップＳ４６−１で、ユーザは、操作部２１０によって、希望する出力色を入力する。なお、指定された出力色に従って色画像形成部１２７の現像器が選択される。
続いて、ステップＳ４７で、指定された分離色と出力色とによって、一連の複写シーケンスを実行して画像形成を行った後、ステップＳ４１へ戻って待機状態になる。
【００４６】
以上説明したように、本実施例によれば、ユーザは希望する分離色および出力色を指定することができる。
【００４７】
【第４実施例】
以下、本発明にかかる第４実施例の画像処理装置を説明する。なお、第４実施例において、第１実施例と略同様の構成については、同一符号を付して、その詳細説明を省略する。
図１１は第４実施例の画像形成手順の一例を示すフローチャートで、制御部２０５によって実行されるものである。なお、図８に示した第１実施例と同一のステップについては、同一符号を付して、その詳細説明を省略する。
【００４８】
ステップＳ４４−２で、ユーザは、操作部２１０によって、希望する出力色を入力する。なお、指定された出力色に従って色画像形成部１２７の現像器が選択される。
続いて、ステップＳ４４−３で、予めＲＯＭ２０７またはＲＡＭ２０８に記憶された分離色決定情報に基づいて、指定された出力色で画像形成する場合の分離色を決定する。決定される分離色は、例えば、出力色が赤ならば赤系統の色というように、同系統色にするのが望ましいが、分離色決定情報によって任意に設定できることはいうまでもない。
【００４９】
続いて、ステップＳ４５で、決定した分離色を示す分離色信号Ｄｏｕｔ３と、原稿画像全体を指定するエリア信号Ｄｏｕｔ５とを二色分離回路３０３へ送る。該信号は二色分離回路３０３内のテーブルにセットされる。
続いて、ステップＳ４７で、決定した分離色と指定された出力色とによって、一連の複写シーケンスを実行して画像形成を行った後、ステップＳ４１へ戻って待機状態になる。
【００５０】
以上説明したように、本実施例によれば、ユーザが希望する出力色を指定することによって、指定された出力色に応じた分離色を決定することができる。
【００５１】
【第５実施例】
以下、本発明にかかる第５実施例の画像処理装置を説明する。なお、第５実施例において、第１実施例と略同様の構成については、同一符号を付して、その詳細説明を省略する。
図１２は第５実施例の画像形成手順の一例を示すフローチャートで、制御部２０５によって実行されるものである。
【００５２】
ステップＳ８１で、操作部２１０から複写開始などの指示を受けるのを待機し、複写開始が指示されるとステップＳ８２へ進む。
ユーザは、ステップＳ８２で、座標入力部２１１によって色分離対象領域を入力し、ステップＳ８３で、操作部２１０によって希望する分離色を入力する。
続いて、ステップＳ８４で、指定された分離色を示す分離色信号Ｄｏｕｔ３と、指定された色分離対象領域を示すエリア信号Ｄｏｕｔ５とを二色分離回路３０３へ送る。該信号は二色分離回路３０３内のテーブルにセットされる。
【００５３】
続いて、ステップＳ８５で、色分離対象領域およびその分離色の入力が終了したことを示すユーザからの指示があったか否かを判断して、指示があればステップＳ８６へ進み、なければステップＳ８２へ戻る。
ステップＳ８６で、ユーザは、操作部２１０によって、希望する出力色を入力する。なお、指定された出力色に従って色画像形成部１２７の現像器が選択される。
【００５４】
続いて、ステップＳ８７で、セットされたテーブルに応じて色分離対象領域毎に分離色を切替えて、指定された出力色によって、一連の複写シーケンスを実行して画像形成を行った後、ステップＳ８１へ戻って待機状態になる。
以上説明したように、本実施例によれば、ユーザが希望する色分離対象領域，分離色および出力色を指定することができる。
【００５５】
【第６実施例】
以下、本発明にかかる第６実施例の画像処理装置を説明する。なお、第６実施例において、第１実施例と略同様の構成については、同一符号を付して、その詳細説明を省略する。
図１３は第６実施例の画像形成手順の一例を示すフローチャートで、制御部２０５によって実行されるものである。
【００５６】
ステップＳ９１で操作部２１０から複写開始などの指示を受けると、ステップＳ９２でプリスキャン（予備走査）を行い、原稿２００の画像情報を、画像読取部２０１を介して、色判断回路３０８内部に記憶する。
続いて、ステップＳ９３で、像域分割回路３１０によって、色判断回路３０８内部に記憶したプリスキャン画像の像域を切分け、分割した領域情報を得る。
【００５７】
続いて、ステップＳ９４およびＳ９５で、分割された一つの領域の種別に応じて処理が分岐する。つまり、文字領域の場合はステップＳ９６へ進み、写真領域の場合はステップＳ９７へ進み、その何れでもない場合はステップＳ９８へ進む。
文字領域であった場合は、ステップＳ９６でその領域の分離色を赤にし、写真領域であった場合は、ステップＳ９７でその領域の分離色を緑にし、その他の場合は、ステップＳ９８でその領域の分離色をデフォルトにして、ステップＳ９９で、決定した分離色を示す分離色信号Ｄｏｕｔ３と、分割された領域を示すエリア信号Ｄｏｕｔ５とを二色分離回路３０３へ送る。該信号は二色分離回路３０３内のテーブルにセットされる。
【００５８】
続いて、ステップＳ１００で、全領域についてテーブルのセットが終了したか否かを判定して、終了した場合はステップＳ１０１へ進み、未了の場合はステップＳ９４へ戻って、ステップＳ９４からＳ９９を繰返す。
全領域についてテーブルのセットが終了すると、ステップＳ１０１で、ユーザは、操作部２１０によって、希望する出力色を入力する。なお、この出力色に従って色画像形成部１２７の現像器が選択される。
【００５９】
続いて、ステップＳ１０２で、セットされたテーブルに応じて領域毎に分離色を切替えて、指定された出力色によって、一連の複写シーケンスを実行して画像形成を行った後、ステップＳ１０１へ戻って待機状態になる。
なお、上述においては、原稿に赤でマークする場合を考えて文字領域の分離色を赤に、緑の多い自然画などを考慮して写真領域の分離色を緑にしたが、本実施例はこれに限定されるものではなく、図１４に示すステップＳ９６−１，Ｓ９７−１，Ｓ９８−１のように、デフォルトの分離色を含め、操作部２１０などから予め任意の分離色をセットすることができる。なお、図１４において、図１３に示した第６実施例と同一のステップについては同一符号を付した。
【００６０】
図１５はユーザが分離色を設定する手順例を示すフローチャートで、ユーザが、操作部２１０によって、ユーザ分離色設定を指示すると、制御部２０５によって実行されるものである。
まず、ステップＳ１６１で、ユーザの指示が文字領域の分離色設定か否かを判定して、その場合はステップＳ１６２で、ユーザから指定された色（ユーザ設定文字領域分離色）をＲＡＭ２０８に記憶した後、ステップＳ１７３へ進む。
【００６１】
同指示が文字領域の分離色設定ではなかった場合、ステップＳ１６３で、同指示が文字領域の分離色解除か否かを判定して、その場合はステップＳ１６４で、ＲＯＭ２０７に記憶されたデフォルトの文字領域分離色をユーザ設定文字領域分離色としてＲＡＭ２０８に記憶した後、ステップＳ１７３へ進む。
同指示が文字領域の分離色解除ではなかった場合、ステップＳ１６５で、同指示が写真領域の分離色設定か否かを判定して、その場合はステップＳ１６６で、ユーザから指定された色（ユーザ設定写真領域分離色）をＲＡＭ２０８に記憶した後、ステップＳ１７３へ進む。
【００６２】
同指示が写真領域の分離色設定ではなかった場合、ステップＳ１６７で、同指示が写真領域の分離色解除か否かを判定して、その場合はステップＳ１６８で、ＲＯＭ２０７に記憶されたデフォルトの写真領域分離色をユーザ設定写真領域分離色としてＲＡＭ２０８に記憶した後、ステップＳ１７３へ進む。
同指示が写真領域の分離色解除ではなかった場合、ステップＳ１６９で、同指示がデフォルト分離色の設定か否かを判定して、その場合はステップＳ１７０で、ユーザから指定された色（ユーザ設定デフォルト分離色）をＲＡＭ２０８に記憶した後、ステップＳ１７３へ進む。
【００６３】
同指示がデフォルト分離色の設定ではなかった場合、ステップＳ１７１で、同指示がデフォルト分離色の解除か否かを判定して、その場合はステップＳ１７２で、ＲＯＭ２０７に記憶されたデフォルト分離色をユーザ設定デフォルト分離色としてＲＡＭ２０８に記憶した後、ステップＳ１７３へ進む。
ステップＳ１７３で、ユーザの分離色設定要求が終了したか否かを判定して、未了の場合はステップＳ１６１へ戻り、終了した場合は処理を終了する。
【００６４】
以上説明したように、本実施例によれば、入力された画像の像域をその特徴によって分割して、分割した領域に応じた分離色を設定でき、さらに、設定した分離色に応じた出力色も決定することができる。また、ユーザは各領域に対する分離色を設定・解除することもできる。
【００６５】
【第７実施例】
以下、本発明にかかる第７実施例の画像処理装置を説明する。なお、第７実施例において、第１実施例と略同様の構成については、同一符号を付して、その詳細説明を省略する。
図１６は第７実施例の画像形成手順の一例を示すフローチャートで、制御部２０５によって実行されるものである。
【００６６】
ステップＳ１１１で操作部２１０から複写開始などの指示を受けると、ステップＳ１１２でプリスキャン（予備走査）を行い、原稿２００の画像情報を、画像読取部２０１を介して、色判断回路３０８内部に記憶する。
続いて、ステップＳ１１３で、ユーザは、座標入力部２１１によって、色分離対象領域を入力する。
【００６７】
続いて、ステップＳ１１４で、指定された色分離対象領域をエリア信号Ｄｏｕｔ４により指定することによって、色判断回路３０８から各色のイメージデータを得て、原稿画像の色味判定を行い、ステップＳ１１５で判定した色味に応じて分離色を決定し、ステップＳ１１６で、決定した分離色を示す分離色信号Ｄｏｕｔ３と、指定された色分離対象領域を示すエリア信号Ｄｏｕｔ５とを二色分離回路３０３へ送る。該信号は二色分離回路３０３内のテーブルにセットされる。
【００６８】
続いて、ステップＳ１１７で、色分離対象領域の指定が終了したことを示すユーザからの指示があったか否かを判断して、指示があればステップＳ１１８へ進み、なければステップＳ１１３へ戻る。
色分離対象領域の指定が終了すると、ステップＳ１１８で、予めＲＯＭ２０７またはＲＡＭ２０８に記憶された出力色決定情報に基づいて、決定した分離色で分離した画像を出力するための出力色を決定する。なお、決定した出力色に従って色画像形成部１２７の現像器が選択される。
【００６９】
続いて、ステップＳ１１９で、セットされたテーブルに応じて領域毎に分離色を切替えて、指定された出力色によって、一連の複写シーケンスを実行して画像形成を行った後、ステップＳ１１１へ戻って待機状態になる。
以上説明したように、本実施例によれば、ユーザが希望する色分離対象領域を指定することによって、該領域の色味に応じた分離色を決定することができ、さらに、決定した分離色に応じた出力色も決定することができる。
【００７０】
【第８実施例】
以下、本発明にかかる第８実施例の画像処理装置を説明する。なお、第８実施例において、第１実施例と略同様の構成については、同一符号を付して、その詳細説明を省略する。
図１７は第８実施例の画像形成手順の一例を示すフローチャートで、制御部２０５によって実行されるものである。なお、図１６に示した第７実施例と同一のステップについては、同一符号を付して、その詳細説明を省略する。
【００７１】
ステップＳ１１３−１で、像域分割回路３１０によって、色判断回路３０８内部に記憶したプリスキャン画像の像域を切分け、分割した領域情報を得る。
ステップＳ１１４−１で、分割された領域をエリア信号Ｄｏｕｔ４により指定することによって、色判断回路３０８から各色のイメージデータを得て、原稿画像の色味判定を行い、ステップＳ１１５で判定した色味に応じて分離色を決定し、ステップＳ１１６−１で、決定した分離色を示す分離色信号Ｄｏｕｔ３と、分割された領域を示すエリア信号Ｄｏｕｔ５とを二色分離回路３０３へ送る。該信号は二色分離回路３０３内のテーブルにセットされる。
【００７２】
続いて、ステップＳ１１７−１で、すべての分割領域のセットが終了したか否かを判断して、終了していればステップＳ１１８へ進み、未了であればステップＳ１１４−１へ戻る。
以下、第７実施例と同様の手順なので説明を省略する。
以上説明したように、本実施例によれば、入力された画像の像域を分割して、分割した領域の色味に応じた分離色を決定することができ、さらに、決定した分離色に応じた出力色も決定することができる。
【００７３】
【第９実施例】
以下、本発明にかかる第９実施例の画像処理装置を説明する。なお、第９実施例において、第１実施例と略同様の構成については、同一符号を付して、その詳細説明を省略する。
図１８は第９実施例の画像形成手順の一例を示すフローチャートで、制御部２０５によって実行されるものである。なお、図１６に示した第７実施例と同一のステップについては、同一符号を付して、その詳細説明を省略する。
【００７４】
ステップＳ１１４−２で、ユーザは、座標入力部２１１を用いて、原稿画像の色味判定を行うサンプル位置を入力する。この位置情報は制御部２０５へ入力される。
続いて、ステップＳ１１４−３で、指定されたサンプル位置に相当する充分に小さい領域をエリア信号Ｄｏｕｔ４により指定することによって、色判断回路３０８から各色のイメージデータを得て、原稿画像の色味判定を行い、ステップＳ１１５でその判定結果に応じて分離色を決定する。
【００７５】
以下、ステップＳ１１５からＳ１１７までは、第１実施例と同様の手順なので説明を省略する。
続いて、ステップＳ１１８−１で、ユーザは、操作部２１０によって、希望する出力色を入力する。なお、指定された出力色に従って色画像形成部１２７の現像器が選択される。
【００７６】
以下、第１実施例と同様の手順なので説明を省略する。
以上説明したように、本実施例によれば、ユーザが希望する色分離対象領域，分離色を決定するためのサンプル位置および出力色を指定することによって、入力された画像の分離色をユーザの希望に応じて決定することができる。
なお、上述の各実施例は、任意に組合わせることができる。
【００７７】
なお、本発明は、複数の機器から構成されるシステムに適用しても、一つの機器からなる装置に適用してもよい。
また、本発明は、システムあるいは装置にプログラムを供給することによって達成される場合にも適用できることはいうまでもない。
【００７８】
上述した実施例によれば、カラー画像情報の色味を検出して、検出された色味に応じて分離する色成分を決定し、決定された色成分に応じた出力色を決定して、該カラー画像情報を少なくとも二つの色成分画像情報に分離し、分離された色成分画像情報を該出力色の画像情報として出力することができ例えば、自動的に、または、簡単な操作で、色分離する分離色の設定・変更などが可能になり、画像形成の表現力向上を図ることができるという効果がある。
【００７９】
また、例えば、色分離される分離色や色分離された画像データの出力色をそれぞれ独立に選択可能にしたため、分離色と出力色の設定・変更などの自由度の改善とともに、画像形成の表現力向上が図れるという効果がある。
また、例えば、色分離される色成分に応じて、自動的に画像形成手段の出力色が選択されるようにしたため、色分離する分離色の設定・変更の操作性が改善されるとともに、画像形成の表現力向上を図ることができるという効果がある。
【００８０】
また、所望の領域に対して、自動的に、または簡単な操作で色分離する分離色の設定・変更などが可能になり、画像形成の表現力向上を図ることができるという効果がある。また、像域分割された各領域に対して、自動的に、または、簡単な操作で、色分離する分離色の設定・変更などを可能とし、画像形成の表現力向上を図ることができるという効果がある。また、分離時に行う線形演算に予め定められた角度データを含むことにより、分離したい色成分を自由に選択し、さらに、所望の分離色として認識される色範囲を広げることを可能として、二色での表現能力の向上を図り、フルカラー画像の再生に対しても充分に実用的な二色での画像形成を可能とするという効果がある。
【００８１】
【発明の効果】
以上説明したように、本発明によれば、画像情報から分離する、黒色以外の一色成分を自動的に決定して、画像情報を一色成分および黒色成分の画像情報に分離することが可能になり、画像形成の表現力向上を図ることができる。
【図面の簡単な説明】
【図１】本発明にかかる一実施例の画像処理装置を備えたディジタル複写機の構成例を示す概観図である。
【図２】本実施例の電気的構成例を示すブロック図である。
【図３】図２の画像処理部の詳細な構成例を示すブロック図である。
【図４】図３の二色分離回路の詳細な構成例を示すブロック図である。
【図５】本実施例において赤イメージを生成する係数の決定法について説明する図である。
【図６】本実施例において赤イメージを生成する係数の決定法について説明する図である。
【図７】本実施例において緑イメージを生成する係数の決定法について説明する図である。
【図８】本実施例の画像形成手順の一例を示すフローチャートである。
【図９】本発明にかかる第２実施例の画像形成手順の一例を示すフローチャートである。
【図１０】本発明にかかる第３実施例の画像形成手順の一例を示すフローチャートである。
【図１１】本発明にかかる第４実施例の画像形成手順の一例を示すフローチャートである。
【図１２】本発明にかかる第５実施例の画像形成手順の一例を示すフローチャートである。
【図１３】本発明にかかる第６実施例の画像形成手順の一例を示すフローチャートである。
【図１４】第６実施例においてユーザが分離色を設定する場合の画像形成手順の一例を示すフローチャートである。
【図１５】第６実施例においてユーザが分離色を設定する手順例を示すフローチャートである。
【図１６】本発明にかかる第７実施例の画像形成手順の一例を示すフローチャートである。
【図１７】本発明にかかる第８実施例の画像形成手順の一例を示すフローチャートである。
【図１８】本発明にかかる第９実施例の画像形成手順の一例を示すフローチャートである。
【符号の説明】
１００    複写装置本体（本体）
１２０    露光制御部
１２６    黒画像形成部
１２７    色画像形成部
１５０    デッキ
１８０    循環式自動原稿送り装置（ＲＤＦ）
１９０    ソータ
２０１    画像読取部
２０４    プリンタ部
２０５    制御部
２１０    操作部
２１１    座標入力部
３００    画像処理部
３０３    二色分離回路部
３０８    色判断回路
３１０    像域分割回路
【図１】
0003548205.tif 000003
【図２】
0003548205.tif 000004
【図３】
0003548205.tif 000005
【図４】
0003548205.tif 000006
【図５】
0003548205.tif 000007
【図６】
0003548205.tif 000008
【図７】
0003548205.tif 000009
【図８】
0003548205.tif 000010
【図９】
0003548205.tif 000011
【図１０】
0003548205.tif 000012
【図１１】
0003548205.tif 000013
【図１２】
0003548205.tif 000014
【図１３】
0003548205.tif 000015
【図１４】
0003548205.tif 000016
【図１５】
0003548205.tif 000017
【図１６】
0003548205.tif 000018
【図１７】
0003548205.tif 000019
【図１８】
0003548205.tif 000020